(57)【特許請求の範囲】
【請求項１】
上面に開口を有する首部を備えた薬剤を収容可能な容器と、
少なくとも一部が薬剤に浸漬するように前記容器内に収納される芯材と、
前記芯材を保持する芯材保持枠とを備え、
前記芯材保持枠により前記芯材を前記容器外に引き上げることで、前記芯材の一部で吸い上げた薬剤が前記容器外に揮散するように構成された薬剤揮散器において、
前記首部の内周面には、内方に突き出る一対の突出部が設けられており、
前記芯材保持枠は、一対の側枠部材を備え、前記各側枠部材により前記芯材が挟持されており、前記各側枠部材は上端部を支点に下端部が変位可能であり、
前記芯材保持枠が引き上げられた時、前記突出部が、前記一対の側枠部材に接触して、前記芯材保持枠を挟持することにより、前記芯材保持枠は起立状態で保持されるとともに、起立状態より前記突出部の方向に向けて傾倒可能であり、
前記芯材保持枠の下部には、前記芯材保持枠が引き上げられた時に、前記突出部に係合して前記芯材保持枠を抜止め状態とする一対の外向きの係合突起が設けられており、前記各係合突起は、前記芯材保持枠の傾倒により、一方の前記係合突起と前記突出部との係合が外れるように構成されている薬剤揮散器。
【請求項２】
前記芯材保持枠は、可撓性を有する材料により形成されていることを特徴とする請求項１に記載の薬剤揮散器。
【請求項３】
前記突出部の下面は、内側に向けて高く傾斜する傾斜面に形成されていることを特徴とする請求項２に記載の薬剤揮散器。
【請求項４】
前記芯材保持枠には、前記突出部の上面と係合可能な突部が縦方向に複数設けられていることを特徴とする請求項１〜３のいずれかに記載の薬剤揮散器。
【請求項５】
前記各係合突起の下縁を、外側から内側へ低く傾斜させて挿入ガイド部を形成したことを特徴とする請求項１〜４のいずれかに記載の薬剤揮散器。
【請求項６】
前記容器の開口を開閉可能に閉塞するキャップに、前記芯材保持枠の上端部が回転可能に連結されていることを特徴とする請求項１〜５のいずれかに記載の薬剤揮散器。
【発明の詳細な説明】
【技術分野】
【０００１】
本発明は、芳香剤、消臭剤などの種々の揮散性を有する液状の薬剤を容器内部に収容するとともに、薬剤中に薬剤の吸上・揮散可能な芯材を浸漬した薬剤揮散器に関する。
【背景技術】
【０００２】
室内や自動車などの空間の臭気による不快感をなくし、快適な空間を生み出すために、芳香剤を自然に揮散させる薬剤揮散器が広く使用されている。この薬剤揮散器には、ゲル状、固形状、液状など、種々の薬剤が用いられており、その中で液状の薬剤を用いる薬剤揮散器は、一般に薬剤を収容する容器と、容器内に収容された薬剤を吸上・揮散可能な芯材とにより構成されている。芯材は、一部（吸上部）が薬剤中に浸漬されるとともに、他部（揮散部）が容器上部の開口部から外部に露出可能になっており、毛細管現象により、吸上部で吸い上げた薬剤を揮散部にて空気中に揮散させている。
【０００３】
上記した液状の薬剤を用いる薬剤揮散器としては、特許文献１にその一例が開示されている。特許文献１に記載の薬剤揮散器は、図８および図９に示すように、液状の薬剤を収容する容器１００と、容器１００内に収納される帯状の芯材１０２と、芯材１０２を保持する芯材保持枠１０１とによって構成されている。芯材１０２は、芯材保持枠１０１を構成する一対の側枠部材１０３，１０３に設けられた一対の垂直板１０４，１０４と、各側枠部材１０３の下端部に各側枠部材１０３を連結するように設けられた横桟１０５との間に巻き付けられており、芯材１０２の一端部を、横桟１０５と各側枠部材１０３の下端部に設けられた一対の受棒１０６，１０６との間に通して下方に垂らすことで、容器１００の底部まで到達している。芯材保持枠１０１は、容器１００の開口部１００Ａを閉塞可能なキャップ１０８に連結されている。そして、キャップ１０８を容器１００から外し、キャップ１０８を介して芯材保持枠１０１を引き上げることにより、芯材上部の揮散部１０２Ａが容器１００の外部に露出する。従って、揮散部１０２Ａの露出の程度によって、芯材下部の吸上部１０２Ｂによって吸い上げた薬剤の揮散状態を調整可能になっている。また、各側枠部材１０３の下端部には、外側に向けて突き出る突起１０７が設けられており、芯材保持枠１０１を引き上げる際、各突起１０７が容器１００の肩部１００Ｂに引っ掛かって係合することで、芯材保持枠１０１が容器１００から抜け出るのが防止されている。
【先行技術文献】
【特許文献】
【０００４】
【特許文献１】登録実用新案公報第３０２０４５９号
【発明の概要】
【発明が解決しようとする課題】
【０００５】
この液状の薬剤を用いた薬剤揮散器は、薬剤の揮散に伴い、容器１００内の薬剤が少量になった場合には薬剤を詰め替えたり、また、芯材１０２に界面活性剤などの不揮発成分が目詰まりすることで薬剤の揮散性能が低下した場合には芯材１０２を取り替えたりすることにより、再利用が可能である。ただし、薬剤の詰め替えや芯材１０２の取り替え作業を行う場合には、芯材保持枠１０１を容器１００の開口部１００Ａから引き抜いて、一旦、容器１００から取り外す必要がある。
【０００６】
しかしながら、上記した特許文献１に記載の薬剤揮散器では、芯材保持枠１０１の各突起１０７が容器１００の肩部１００Ｂとの係合が外れないよう強固に肩部１００Ｂに引っ掛かる構造になっているので、芯材保持枠１０１の容器１００からの抜けが確実に防止されている反面、芯材保持枠１０１を容器１００から取り外す際には、各突起１０７と容器１００の肩部１０６との係合が容易に外れないため、芯材保持枠１０１を容器１００から簡単に引き抜くことができない。よって、薬剤の詰め替えや芯材１０２の取り替え作業を簡単に行うことができないという課題がある。
【０００７】
本発明は、上記した課題に着目してなされたもので、薬剤の詰め替えや芯材の取り替え作業時に、芯材保持枠を容器から簡単に引き抜くことができる薬剤揮散器を提供することを目的とする。
【課題を解決するための手段】
【０００８】
本発明の上記目的は、上面に開口を有する首部を備えた薬剤を収容可能な容器と、少なくとも一部が薬剤に浸漬するように前記容器内に収納される芯材と、前記芯材を保持する芯材保持枠とを備え、前記芯材保持枠により前記芯材を前記容器外に引き上げることで、前記芯材の一部で吸い上げた薬剤が前記容器外に揮散するように構成された薬剤揮散器において、前記首部の内周面には、内方に突き出る一対の突出部が設けられており、前記芯材保持枠は、一対の側枠部材を備え、前記各側枠部材により前記芯材が挟持されており、前記各側枠部材は上端部を支点に下端部が変位可能であり、前記芯材保持枠が引き上げられた時、前記突出部が、前記一対の側枠部材に接触して、前記芯材保持枠を挟持することにより、前記芯材保持枠は起立状態で保持されるとともに、起立状態より前記突出部の方向に向けて傾倒可能であり、前記芯材保持枠の下部には、前記芯材保持枠が引き上げられた時に、前記突出部に係合して前記芯材保持枠を抜止め状態とする一対の外向きの係合突起が設けられており、前記各係合突起は、前記芯材保持枠の傾倒により、一方の前記係合突起と前記突出部との係合が外れるように構成されている薬剤揮散器により達成される。
【００１０】
本発明のさらに好ましい実施態様においては、前記芯材保持枠は、可撓性を有する材料により形成されていることを特徴としている。
【００１１】
本発明のさらに好ましい実施態様においては、前記突出部の下面は、内側に向けて高く傾斜する傾斜面に形成されていることを特徴といている。
【００１２】
本発明のさらに好ましい実施態様においては、前記芯材保持枠には、前記突出部の上面と係合可能な突部が縦方向に複数設けられていることを特徴としている。
【００１３】
本発明のさらに好ましい実施態様においては、前記各係合突起の下縁を、外側から内側へ低く傾斜させて挿入ガイド部を形成したことを特徴としている。
【００１４】
本発明のさらに好ましい実施態様においては、前記容器の開口を開閉可能に閉塞するキャップに、前記芯材保持枠の上端部が回転可能に連結されていることを特徴としている。
【発明の効果】
【００１５】
本発明の薬剤揮散器によると、薬剤の詰め替えや芯材の取り替え作業時に、芯材保持枠を傾倒させるなどの簡易な操作で、容器から芯材保持枠を簡単に引き抜くことができる。
【図面の簡単な説明】
【００１６】
【図１】本発明の一実施形態に係る薬剤揮散器の使用時の状態を示す側面図であり、容器およびキャップを断面にして示している。
【図２】本発明の一実施形態に係る薬剤揮散器の使用前の状態を示す側面図であり、容器およびキャップを断面にして示している。
【図３】図２の薬剤揮散器の正面から見た断面図である。
【図４】芯材保持枠の側面図である。
【図５】芯材保持枠の正面図である。
【図６】芯材保持枠の断面図である。
【図７】（ａ）は芯材の側面図であり、（ｂ）は芯材の正面図である。
【図８】従来例の薬剤揮散器の正面図であり、芯材は省略して容器およびキャップを断面にして示している。
【図９】図８の薬剤揮散器の側面図であり、容器およびキャップは省略して芯材および芯材保持枠を断面にして示している。
【発明を実施するための形態】
【００１７】
以下、本発明の実施形態について、添付図面を参照して説明する。図１〜図３は、本発明に係る薬剤揮散器の一実施形態の構成をそれぞれ示している。
【００１８】
本実施形態の薬剤揮散器１は、上部に開口を有するとともに内部に液状の薬剤を収容可能な容器２と、容器２内に収納されて液状の薬剤を吸い上げて揮散させることが可能な芯材３と、芯材３を保持可能な芯材保持枠４とを備えている。容器２の上部開口は、キャップ５により開閉可能に塞がれている。キャップ５には、芯材保持枠４が回転可能に連結されており、使用者はキャップ５を持つことで芯材保持枠４を容器２から引き上げることができる。芯材保持枠４の引き上げに伴い、芯材３の揮散部３１が、入口２１から容器２の外部に引き上げられて露出する。このとき、芯材３の吸上部３０が薬剤中に浸漬されているため、芯材３の吸上部３０で吸い上げた薬剤が芯材３の揮散部３１を介して容器２の外部に揮散する。
【００１９】
容器２は、図１〜図３に示すように、上面に前記開口を有する円筒状の首部２０と、首部２０に連続する中空の胴部２２とにより構成されている。胴部２２は、首部２０よりも大径に形成された肩部２３を備えている。この容器２としては、例えば、透明のプラスチック製ブロー成形品が挙げられるが、ガラス製品の他、インジェクション成型品などであっても構わない。
【００２０】
首部２０の上部外周面には、雄ネジ部２４が設けられている。雄ネジ部２４がキャップ５の内周面に設けられた雌ネジ部５０と螺合することにより、キャップ５が容器２の首部２０に固定される。
【００２１】
首部２０の下部内周面には、内方に向けて突き出る一対の突出部２５，２５が一体に設けられている。各突出部２５は対向する位置に設けられ、それぞれが芯材３の厚み方向に突き出て芯材３の揮散部３１の最も面積の大きな前面および後面と対向するようになっている。これにより、２つの突出部２５により、首部２０内に芯材３の揮散部３１の外形に沿う平面視が略長方形状の開口が形成されている。該開口は、芯材３を保持した芯材保持枠４を引き上げる時、あるいは、容器２内に挿入する時の入口２１となっている。
【００２２】
各突出部２５は、芯材保持枠４を引き上げた時に、芯材保持枠４を起立状態で保持する。つまり、芯材保持枠４を引き上げた時、各突出部２５の先端面が、芯材３を保持した芯材保持枠４（後述する各側枠部材４０の外側面）に接触して芯材保持枠４の一部を挟持することにより、芯材保持枠４が起立状態で保持される。また、首部２０の内周面より突き出る各突出部２５により芯材保持枠４が挟持されていることで、芯材保持枠４と首部２０の内周面との間に空間が生じる。そのため、芯材保持枠４は、各突出部２５を支点に少なくとも前後方向（各突出部２５の方向）に傾倒することが可能になっている。
【００２３】
各突出部２５の下面は、内側に向けて高く傾斜する傾斜面になっている。また、各突出部２５の上面は、内側に向けて低く傾斜する傾斜面になっており、各突出部２５は、全体として先細り状の形状を有している。各突出部２５の上面および下面の先端面と連続する部分は、それぞれ滑らかな曲面になっている。
【００２４】
なお、本実施形態では、各突出部２５は、容器２の首部２０に一体に設けられているが、必ずしもこの構成に限られるものではない。例えば、各突出部２５を容器２の首部２０の内周面に対して中栓のような形で取り外し可能に設けるようにしてもよい。
【００２５】
キャップ５の内底面には、円筒状のボス５１が内底面から突き出るように設けられている。ボス５１の先端部は均等に分割されて、複数（例えば、３つ）の係合爪５２が設けられており、各係合爪５２の外面には段部５３が設けられている。このボス５１は、後述する芯材保持枠４の連結部４２に設けられた嵌合孔４３に嵌合可能であり、各係合爪５２を内側に弾性変形させてボス５１を嵌合孔４３に嵌合させた後、各係合爪５２の段部５３を連結部４２の下面に引っ掛けることで、芯材保持枠４が軸方向に抜けることなくキャップ５に対して回転可能に連結される。
【００２６】
芯材保持枠４は、図４〜図６に示すように、例えば、プラスチックなどの可撓性を有する材料により成形されており、下方に向けて延びる左右一対の板状の側枠部材４０，４０と、各側枠部材４０の上端部同士を連結する水平な板状の上枠部材４１とを備えている。上枠部材４１の中央部には、連結部４２が一体に設けられており、連結部４２の上面の中央部に嵌合孔４３が設けられている。各側枠部材４０の上端部は、それぞれ幅広に形成されており、各側枠部材４０の上端部には、各側枠部材４０を開閉させるためのＬ字状の開閉部材４４，４４が一体に設けられている。
【００２７】
各側枠部材４０が下方に垂下した状態では、各側枠部材４０の間の距離は、芯材３の揮散部３１の厚みよりわずかに小さく設定されている。これにより、揮散部３１が各側枠部材４０により挟持され、吸上部３０が各側枠部材４０から吊り下げられるようにして、芯材３は芯材保持枠４に保持される。各側枠部材４０は、上端部４０Ａを支点として弾性的に揺動して開閉可能となっており、例えば、キャップ５（図１に示す）の上面に親指を当てるとともに、Ｌ字状の各開閉部材４４の底面４４Ａにそれぞれ人差し指と中指とを当て、各開閉部材４４をキャップ５の方向（図４に示す矢印Ｐの方向）に向けて押圧することで、各側枠部材４０の下端部４０Ｂが互いに離間（開動作）する。これにより、各側枠部材４０の間に、芯材３の揮散部３１を挿入することが可能になる。そして、各開閉部材４４に対する押圧を解除すると、各側枠部材４０は、弾性変形による復元力によって、元の下方に垂下する状態に復帰（閉動作）して、芯材３の揮散部３１を挟持する。また、芯材３の使用済み後は、同様に、各開閉部材４４をキャップ５の方向（図４に示す矢印Ｐの方向）に向けて押圧して、各側枠部材４０を開動作させることで、芯材３に対する各側枠部材４０による挟持が解除される。その結果、使用済みの芯材３を芯材保持枠４から容易に取り外すことができる。
【００２８】
なお、本実施形態においては、芯材３の揮散部３１は、その全体が芯材保持枠４により保持されている。芯材保持枠４が容器２内に挿入されている時には、各側枠部材４０は容器２の各突出部２５の間に挟まれているので、各開閉部材４４による各側枠部材４０の開閉動作が規制されている。そのため、芯材３は、芯材保持枠４を容器２の入口２１から引き抜かない限り、芯材保持枠４から取り外すことができないようになっている。
【００２９】
各側枠部材４０の下端部４０Ｂは、それぞれ幅広に形成されており、幅方向における一方の側縁部が内側に向けて折り曲げられて、第１の屈曲部４５が設けられている。第１の屈曲部４５の下端部から所定の領域は、芯材３の揮散部３１の下面の形状に沿うように「く」の字状に折り曲げられており、揮散部３１の下面の一部分を支える支持面４６を構成している。この第１の屈曲部４５により、各側枠部材４０により挟持された芯材３の一方の側面が支持されているとともに、支持面４６により、芯材３が下方にずれ落ちるのが規制されている。また、各側枠部材４０の上部は、その一部分が、それぞれ幅広に形成されており、幅方向における一方の側縁部が内側に向けて折り曲げられて、第２の屈曲部４７が設けられている。この第２の屈曲部４７により、各側枠部材４０により挟持された芯材３の他方の側面が支持されている。
【００３０】
各側枠部材４０の下端部４０Ｂには、その外側面の中央部に、それぞれ板面より突き出る外向きの係合突起４８，４８が一体に設けられている。各係合突起４８は、容器２内部の突出部２５の方向に突き出るように設けられている。そのため、薬剤揮散器１の使用時に、芯材保持枠４を引き上げた際、各係合突起４８が容器２の各突出部２５の下面に引っ掛かって係合する。これにより、芯材保持枠４は抜け止め状態となり、容器２の入口２１から芯材保持枠４が抜け出るのが防止されている。
【００３１】
各係合突起４８の下縁には、外側から内側へ向けて低く傾斜するように挿入ガイド部４８Ａが設けられている。薬剤の詰め替えや芯材３の取り替えのために芯材保持枠４を容器２の入口２１から一旦引き抜いた後、再び、芯材保持枠４を入口２１から容器２内に挿入する際に、挿入ガイド部４８Ａの存在により各係合突起４８が内側にスムーズに撓むことで、各係合突起４８は容易に各突出部２５を乗り越える。その結果、芯材保持枠４を容器２内に容易に挿入することができる。
【００３２】
各側枠部材４０の外側面には、縦方向に等間隔で複数（図示例では、３つ）の突部４９が一体に設けられている。この各突部４９が、芯材保持枠４を引き上げた時に、容器２の首部２０の内周面に設けられた各突出部２５の上面と係合することで、芯材保持枠４が容器２０内に不用意に落ち込まないようになっている。これにより、芯材保持枠４を所定の高さ位置にて保持することができる。
【００３３】
芯材３は、図７（ａ），（ｂ）に示すように、ともに略長方体状の吸上部３０と揮散部３１とを備え、吸上部３０および揮散部３１が連続して一体化された形態を有している。この芯材３は、主に液状の薬剤の吸上・揮散効果に優れた繊維層（図示せず）で全体が構成されている。前記繊維層としては、植物繊維やパルプなどの天然繊維、レーヨン、ポリエステル、ＰＥＴ（ポリエチレンテレフタレート）、ＰＰ（ポリプロピレン）などの合成繊維、またはそれらの混合繊維などの繊維質材料で構成することができる。特に、エアレイド法、ニードルパンチ法、スパンボンド法、スパンレース法などによって製造される不織布が好適であるが、その他、織物、編物などの層であってもよい。なお、前記繊維層の表面に、例えば、薄いレーヨンで構成された被覆層を設けるように構成してもよい。
【００３４】
本実施形態では、吸上部３０は、揮散部３１よりもその幅が狭くなるように形成されている。これにより、芯材保持枠４が容器２内に収納されている時には、吸上部３０を折りたたまれた状態に、一方で、芯材保持枠４が引き上げられた時には、吸上部３０を伸びた状態に、それぞれ容易に変形させることができる（図１および図２参照）。吸上部３０は、芯材保持枠４が引き上げられた時に、容器２の内底面に達することができる長さに設定されており、薬剤を最後まで吸い上げさせることができるようになっている。また、芯材保持枠４が引き上げられた時に、薬剤が空気中に揮散しやすくするために、揮散部３１は幅広に形成されている。なお、本実施形態では、吸上部３０の幅を揮散部３１の幅よりも狭くしているが、吸上部３０と揮散部３１との幅が同じ大きさであってもよい。
【００３５】
次に、上記した構成の薬剤揮散器１の使用方法について説明する。
【００３６】
上記した構成の薬剤揮散器１においては、容器２の首部２０にキャップ５が固定された状態では、図２に示すように、芯材３は吸上部３０および揮散部３１が液状の薬剤中に浸漬している。一方、図１に示すように、キャップ５と容器２の首部２０との固定を外してキャップ５を容器２から引き上げると、これに伴い、芯材保持枠４が容器２の入口２１から引き上げられて、芯材３の揮散部３１が容器２の外部に露出する状態となる。これにより、揮散部３１を介して吸上部３０により吸い上げられた薬剤が空気中に揮散される。このとき、芯材保持枠４の各側枠部材４０の外側面には、複数の突部４９が設けられており、この各突部４９が、芯材保持枠４を引き上げた際に、容器２の首部２０の内周面に設けられた各突出部２５の上面と係合する。これにより、芯材保持枠４が不用意に容器２内に落ち込まず、芯材保持枠４を所望の引き上げ高さに保持することができる。従って、使用者は、外部に露出させる揮散部３１の表面積を変えることができ、薬剤の揮散量を調節することが可能となる。
【００３７】
また、芯材保持枠４を引き上げた時には、各突出部２５の先端面が芯材保持枠４の各側枠部材４０と接触するので、芯材保持枠４は起立状態に保持される。また、各側枠部材４０の係合突起４８が容器２の突出部２５の下面に確実に引っ掛かって係合するため、使用者が誤って芯材保持枠４を強く引き上げ過ぎた場合でも、芯材保持枠４が容器２の入口２１から不用意に引き抜かれるのが防止されている。
【００３８】
一方、薬剤の揮散に伴い、容器２内の薬剤が少量になったり、芯材３に界面活性剤などの不揮発成分が目詰まりすることで薬剤の揮散性能が低下したりした場合には、芯材保持枠４を各係合突起４８が各突出部２５と係合するまで引き上げた後、起立状態から前方または後方（図１において矢印Ｘ１または矢印Ｘ２で示す各突出部２５の方向）に傾倒させることで、芯材保持枠４を容器２の入口２１から容易に引き抜くことができる。
【００３９】
つまり、本実施形態の薬剤揮散器１では、芯材保持枠４の各係合突起４８が、芯材保持枠４を傾倒させることが可能な各突出部２５の方向に突き出るように設けられているため、芯材保持枠４を傾けた際に、傾けた側の係合突起４８は内側下方に変位して突出部２５との係合が外れる。ここで、この芯材保持枠４を傾倒させた状態（つまり、一方の係合突起４８と突出部２５との係合が外れた状態）で芯材保持枠４をさらに引き上げると、傾けた側と反対側の容器２の突出部２５と係合する係合突起４８だけが、突出部２５からの反作用の力による内向きの押圧力を受ける。これにより、側枠部材４０が弾性変形によって撓むので、傾けた側と反対側の係合突起４８（側枠部材４０の下端部４０Ｂ）は内側に変位し、突出部２５との係合が外れて突出部２５を容易に乗り越える。その後、傾けた側のもう一方の係合突起４８についても、芯材保持枠４の引き上げにより、突出部２５を乗り越えさせることで、芯材保持枠４を容器２の入口２１から容易に引き抜くことが可能になっている。
【００４０】
なお、本実施形態では、各突出部２５の下面が内側に向けて高く傾斜する傾斜面になっているので、芯材保持枠４を容器２の入口２１から引き抜く際に、各係合突起４８が、突出部２５の下面に沿って内側に容易に変位する。そのため、各係合突起４８が容器２の各突出部２５を乗り越え易くなっている。また、各突出部２５の上面が内側に向けて低く傾斜する傾斜面になっているので、芯材保持枠４を容器２の入口２１から一旦引き抜いた後、再び、芯材保持枠４を入口２１から容器２内に挿入する際においても、各係合突起４８が突出部２５の上面に沿って内側に容易に変位して、各突出部２５を乗り越え易くなっているので、芯材保持枠４の挿入作業が容易になる。
【００４１】
このように、本実施形態の薬剤揮散器１では、芯材保持枠４を前後方向のいずれかに傾倒させながら芯材保持枠４を引き上げるという簡易な操作で、芯材保持枠４を容器２の入口２１から容易に引き抜くことができるので、薬剤の詰め替えや芯材３の取り替え作業を手軽に簡単に行うことができる。また、容器２内に新たな薬剤を補充したり、芯材保持枠４の芯材３を新たな芯材に取り替えたりすることにより、容器２および芯材保持枠４を再利用することが可能である。
【００４２】
また、芯材保持枠４の芯材３を新たな芯材に取り替えたい場合には、芯材保持枠４を容器２から引き抜いた後、各開閉部材４４を、例えば人差し指と中指とを使ってキャップ５の方向に押圧する。これにより、各側枠部材４０が開動作して、芯材３を挟持する状態が解除される。その結果、使用者は、使用済みの芯材３を、薬剤に触れることなく、芯材保持枠４から容易に取り外すことができ、芯材保持枠４に対する芯材３の取り替え作業も簡単に行うことができる。
【００４３】
以上、本発明の一実施形態について説明したが、本発明の具体的な態様は上記した実施形態に限定されない。上記した実施形態では、係合突起４８は、芯材保持枠４の各側枠部材４０の下端部に、それぞれ１つずつ設けられているが、２つ以上の複数設けられていてもよく、また、各側枠部材４０で設けられる係合突起４８の数が異なっていてもよい。
【符号の説明】
【００４４】
１    薬剤揮散器
２    容器
３    芯材
４    芯材保持枠
５    キャップ
２０  首部
２１  入口
２２  胴部
２３  肩部
２５  突出部
３０  吸上部
３１  揮散部
４０  側枠部材
４８  係合突起
４８Ａ  挿入ガイド部
４９  突部
【図１】
0005846781.tif 000002
【図２】
0005846781.tif 000003
【図３】
0005846781.tif 000004
【図４】
0005846781.tif 000005
【図５】
0005846781.tif 000006
【図６】
0005846781.tif 000007
【図７】
0005846781.tif 000008
【図８】
0005846781.tif 000009
【図９】
0005846781.tif 000010